(57)【要約】【課題】遊技盤に装着されるセンター役物において、前面に配される２つの可動部材の移動量を大きく見せること。【解決手段】上装飾板４と下装飾板５を互いの一部を前後に重なり合わせて配し、重なり合いが解消されない範囲で上装飾板４と下装飾板５とをすれ違い状に往復移動させる。重なり合いを維持したまますれ違い状に往復移動するので、上装飾板４、下装飾板５の移動量が少なくても、遊技者は移動量を大きく感じる。従って、上装飾板４及び下装飾板５の大型化を図れる。上装飾板４及び下装飾板５を往復移動させるための駆動機構を、カム部材１２、第１ばね、第２ばね及びモータ２８にて構成しているので、駆動機構を簡素化できる。【選択図】図５
2008194143.tif 000002
【特許請求の範囲】
【請求項１】
表示装置の表示面を臨ませるための開口を有して、弾球遊技機の遊技盤に装着されるセンター役物において、
共に前記遊技盤の表面と平行に移動可能であり、互いの一部を前後に重なり合わせて配される第１可動部材及び第２可動部材と、
前記重なり合いが解消されない範囲で前記第１可動部材と前記第２可動部材とを前記遊技盤の表面と平行であるが互いに異なる方向に移動させて、それぞれを往復移動させる駆動機構と
を備えたことを特徴とするセンター役物。
【請求項２】
請求項１記載のセンター役物において、
前記第１可動部材に第１カム受孔を、前記第２可動部材に第２カム受孔を設け、
前記駆動機構として、
回転の軸から偏心して配されて前記第１カム受孔に挿通される第１カム及び前記第１カムとは位相を異ならせて前記回転の軸から偏心して配されて前記第２カム受孔に挿通される第２カムとを有するカム部材と、
前記第１可動部材を付勢することで前記第１カムを前記第１カム受孔の片側内面に当接させる第１ばねと、
前記第２可動部材を付勢することで前記第２カムを前記第２カム受孔の片側内面に当接させる第２ばねと、
前記カム部材を回転駆動するモータと
を備えた
ことを特徴とするセンター役物。
【請求項３】
請求項２記載のセンター役物において、
前記第１カムと前記第２カムとは前記位相を１８０度異ならせている
ことを特徴とするセンター役物。
【請求項４】
請求項１乃至３のいずれか一項に記載のセンター役物を備えることを特徴とする弾球遊技機。
【発明の詳細な説明】
【技術分野】
【０００１】
本発明は、弾球遊技機の技術分野に属し、詳細には遊技盤に取り付けられるセンター役物及びこれを備えるパチンコ遊技機やアレンジボール遊技機等の弾球遊技機に関する。
【背景技術】
【０００２】
弾球遊技機の遊技盤には演出図柄やキャラクタなどを表示する表示装置（例えば液晶表示装置）が装備されるのが普通で、その場合に画面の前方に遊技球が進入するのを防止するために、また装飾的な効果も兼ねてセンター役物が遊技盤に装着される。従って、センター役物は、表示装置の表示面を臨ませるための開口が設けられており、一般的には枠状をなしている。
【０００３】
このセンター役物の装飾効果は、主に色彩とＬＥＤなどの電飾とに依っているが、センター役物に可動物を備えて、装飾効果を高める技術も提案されている。例えば特開２００２−７８９０４号公報（特許文献１）には、キャラクタ部材を画面前方にて振り子状に移動させる技術が開示されている。また特開２００４−４９６０４号公報（特許文献２）には、２つの棒状の可動体を備えて、一方を画面前方にて水平方向に、他方を垂直方向に移動させる技術が開示されている。
【特許文献１】特開２００２−７８９０４号公報
【特許文献２】特開２００４−４９６０４号公報
【発明の開示】
【発明が解決しようとする課題】
【０００４】
特許文献１、２に開示の技術は、画面前方（表示装置の表示面を臨ませるための開口）を可動物の移動域としており、また可動物のサイズも大きくないので、比較的大きな動きが可能である。
【０００５】
しかし、可動物の寸法が大きくなると、センター役物の範囲内で大きく動かすのは難しく、可動物の大型化に反比例的に移動量は小さくなる傾向にある。特に画面（開口）の周囲を主たる移動域とする場合には、その制約が大きかった。このため、可動物が大型化されるほど、その可動物の動作による装飾効果を得ることが困難であった。
【０００６】
本発明は、上記のような問題を解決するためになされたものであり、その目的とするところは、可動物を備えたセンター役物であって、可動物の大型化を図りつつ、その可動物の動作による装飾効果を十分得ることができるセンター役物を提供することである。
【０００７】
また、本発明の他の目的は、センター役物に設けられる可動物の大型化を図ることができ、しかも、その可動物の動作による装飾効果を十分得ることができる弾球遊技機を提供することである。
【課題を解決するための手段】
【０００８】
請求項１記載のセンター役物は、
表示装置の表示面を臨ませるための開口を有して、弾球遊技機の遊技盤に装着されるセンター役物において、
共に前記遊技盤の表面と平行に移動可能であり、互いの一部を前後に重なり合わせて配される第１可動部材及び第２可動部材と、
前記重なり合いが解消されない範囲で前記第１可動部材と前記第２可動部材とを前記遊技盤の表面と平行であるが互いに異なる方向に移動させて、それぞれを往復移動させる駆動機構と
を備えたことを特徴とする。
【０００９】
このセンター役物は、互いの一部を前後に重なり合わせて配される第１可動部材及び第２可動部材を備えており、第１可動部材及び第２可動部材は共に遊技盤の表面と平行に移動可能である。
【００１０】
それら第１可動部材及び第２可動部材それぞれを駆動機構が往復移動させるが、その際に第１可動部材と第２可動部材とを遊技盤の表面と平行であるが互いに異なる方向に、例えば一方を右向きに移動させるときに方は左向きに移動させる。また、その移動は第１可動部材と第２可動部材との重なり合いが解消されない範囲で行われる。
【００１１】
第１可動部材と第２可動部材とが互いに異なる方向に、例えばすれ違い状に移動して往復し、しかも重なり合いは維持されるので、第１可動部材、第２可動部材それぞれの移動量が共に少なくても、観察者である遊技者には移動量を大きく感じさせることができる。
【００１２】
従って、第１可動部材及び第２可動部材を大型化した場合にも、その第１可動部材及び第２可動部材の小さな動作（少ない移動量）を遊技者に大きく感じさせることができる。これにより、第１可動部材及び第２可動部材の大型化を図ることができ、その大型化された第１可動部材及び第２可動部材の動作による装飾効果を十分に得ることができる。
【００１３】
また、第１可動部材及び第２可動部材が、表示装置の表示面を臨ませるための開口すなわち表示装置の画面の周囲を主たる移動域とする場合にあっても、第１可動部材及び第２可動部材の大型化が可能になり、その大型化された第１可動部材及び第２可動部材の動作による装飾効果も十分に得ることができる。
【００１４】
駆動機構については、第１可動部材及び第２可動部材を上記のように往復移動させることができるなら構成に制限はないが、請求項２に記載の構成が推奨される。
請求項２記載のセンター役物は、
請求項１記載のセンター役物において、
前記第１可動部材に第１カム受孔を、前記第２可動部材に第２カム受孔を設け、
前記駆動機構として、
回転の軸から偏心して配されて前記第１カム受孔に挿通される第１カム及び前記第１カムとは位相を異ならせて前記回転の軸から偏心して配されて前記第２カム受孔に挿通される第２カムとを有するカム部材と、
前記第１可動部材を付勢することで前記第１カムを前記第１カム受孔の片側内面に当接させる第１ばねと、
前記第２可動部材を付勢することで前記第２カムを前記第２カム受孔の片側内面に当接させる第２ばねと、
前記カム部材を回転駆動するモータと
を備えた
ことを特徴とする。
【００１５】
請求項２記載のセンター役物では、第１可動部材には第１カム受孔を設け、第２可動部材には第２カム受孔を設けてある。
駆動機構は、カム部材、第１ばね、第２ばね及びモータにて構成される。
【００１６】
カム部材は、共にカム部材の回転の軸から偏心して配された第１カム及び第２カムを備えており、第１カムと第２カムとは位相を異ならせてある。そして、第１カムは第１可動部材の第１カム受孔に挿通され、第２カムは第２可動部材の第２カム受孔に挿通される。
【００１７】
第１カムは、第１ばねが第１可動部材を付勢することにより、第１カム受孔の片側内面に当接させられ、第２カムは、第２ばねが第２可動部材を付勢することにより、第２カム受孔の片側内面に当接させられる。
【００１８】
モータがカム部材を回転駆動すると、第１カムが第１カム受孔の片側内面に当接した状態で第１カム受孔内で回転する。この回転により、カム部材の回転の軸から第１カムと第１カム受孔との接点までの距離が増加するときは、第１カムが第１ばねの付勢力に抗して第１可動部材を移動させ（これを往行程とする）、同距離が減少するときは第１ばねの付勢力により第１可動部材が戻される（これを復行程とする）。すなわち、第１可動部材を往復移動させる。同様に、第２カムと第２ばねとの作用により第２可動部材を往復移動させる。
【００１９】
但し、第１カムと第２カムとが位相を異ならせているので、第１可動部材の往行程、復行程と第２可動部材の往行程、復行程とには、上記位相の違いに応じたずれができる。
このため、第１可動部材と第２可動部材とが互いに異なる方向に、例えばすれ違い状に移動する期間があり、第１可動部材、第２可動部材それぞれの移動量が共に少なくても、観察者である遊技者には移動量を大きく感じさせることができる。この結果、第１可動部材及び第２可動部材を大型化することができ、その大型化された第１可動部材及び第２可動部材の小さな動作（少ない移動量）を遊技者に大きく感じさせることができる。
【００２０】
特に、請求項３記載のように、請求項２記載のセンター役物において、前記第１カムと前記第２カムとは前記位相を１８０度異ならせると、第１可動部材が往行程のときは第２可動部材が復行程になり、第１可動部材が復行程のときは第２可動部材が往行程になるので、移動量を大きく感じさせる効果が最良になる。
【００２１】
また、請求項２、３記載の構成であると、一のカム部材を回転させるだけで（すなわち一の回転駆動源により）、二つの可動部材を移動させることができるので、駆動機構の簡素化、第１可動部材及び第２可動部材の大型化を図れる。
【００２２】
また、請求項４に記載の弾球遊技機は、請求項１乃至３のいずれか一項に記載のセンター役物を備えたことを特徴とする。この請求項４の発明によれば、センター役物に設けられる第１可動部材及び第２可動部材を大型化することができ、しかも、その第１可動部材及び第２可動部材の動作による装飾効果を十分得ることができる弾球遊技機が得られる。
【発明を実施するための最良の形態】
【００２３】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例のセンター役物１の構成について、図面を参照して説明する。なお、図１はセンター役物１の平面図（ａ）及び正面図（ｂ）、図２はセンター役物１の側面図（ａ）及び背面図（ｂ）、図３はセンター役物１の背面側斜視図であるが、本発明の要部とは関わりがない装飾部品、ステージ、ワープ樋などの図示は省略している。
【００２４】
このセンター役物１は、略長方形の開口２が設けられた枠部材３を備えている。
この開口２は、センター役物１を遊技盤に装着した際に、表示装置の表示面を臨ませるために設けられている。
【００２５】
枠部材３の上部装飾域３ａ（開口２の上方になる部分）には、第１可動部材としての上装飾板４及び第２可動部材としての下装飾板５が、互いの一部を前後に重なり合わせて取り付けられている。また、上装飾板４の前面には凸装飾部４ａが取り付けられている。
【００２６】
上装飾板４は、その背面に取り付けられた２本の支持ピン６ａ、６ｂを枠部材３に設けられたガイド孔７ａ、７ｂに挿通させることで、枠部材３に保持されている。ただし、ガイド孔７ａ、７ｂがセンター役物１の左右方向を長軸とする小判状の長穴であるので、上装飾板４は、支持ピン６ａ、６ｂがガイド孔７ａ、７ｂの左端、右端に接触する位置を限度として、左右方向に往復移動可能である。
【００２７】
支持ピン６ａにはフック８が連接されており、枠部材３にはこれと対をなすフック９が設けられている。そして、フック８とフック９とに、引っ張りコイルばねである第１ばね（図示略）の各端が連結されている。このため、上装飾板４は、第１ばねにより図１（ａ）、（ｂ）における右方向に付勢されている。
【００２８】
上装飾板４の図１（ｂ）における左端部には、第１カム受孔１１が設けられている。この第１カム受孔１１は、センター役物１の前後方向を軸とした、長方形状（コーナー部分は円弧状になっている）であり、カム部材１２に設けられた第１カム１３が挿通されている。なお、カム部材１２の詳細は図４を参照して後述するが、上装飾板４が第１ばねにより右方向に付勢されているため、第１カム１３は第１カム受孔１１の左側内面１１ａに常時接している。
【００２９】
上装飾板４の背面には板状の遮蔽板１７が立設されている。この遮蔽板１７は、枠部材３に設けられた遮蔽板通孔１８を貫通して枠部材３の背面側に突出している。遮蔽板通孔１８の横幅は、遮蔽板１７の横幅を十分に上回っており、上装飾板４が支持ピン６ａ、６ｂとガイド孔７ａ、７ｂとで規制される範囲で左右方向に往復移動しても、それに伴う遮蔽板１７の遮蔽板通孔１８内での往復移動が可能である。
【００３０】
一方、枠部材３には遮蔽板検出センサ１９が取り付けられている。この遮蔽板検出センサ１９は、発光素子（本例ではＬＥＤ）と受光素子（本例ではホトトランジスタ）とを備える光センサである。上装飾板４の往復移動に伴う遮蔽板１７の移動経路は、発光素子から受光素子への光路を横切る位置にあり、上装飾板４が往復移動の右端に位置すると遮蔽板１７が上記光路から外れる。従って、遮蔽板検出センサ１９の出力に基づけば、上装飾板４が往復移動の右端に達したか否かを判断できる。
【００３１】
下装飾板５は上装飾板４よりも後ろ側に位置しており、下装飾板５の上縁部は上装飾板４の下縁部の背後に達している（すなわち重なり合っている）。
下装飾板５も、上装飾板４と同様に、その背面に取り付けられた２本の支持ピン２１ａ、２１ｂを枠部材３に設けられたガイド孔２２ａ、２２ｂに挿通させることで、枠部材３に保持されている。ガイド孔２２ａ、２２ｂがガイド孔７ａ、７ｂと同様の長穴であるので、下装飾板５は、支持ピン２１ａ、２１ｂがガイド孔２２ａ、２２ｂの左端、右端に接触する位置を限度として、左右方向に往復移動可能である。
【００３２】
なお、支持ピン２１ａ、２１ｂの外径は支持ピン６ａ、６ｂと同等であるが、ガイド孔２２ａ、２２ｂの長軸はガイド孔７ａ、７ｂの長軸よりも長い。そのため下装飾板５の往復移動範囲は上装飾板４よりも大きい。
【００３３】
支持ピン２１ａにはフック２３が連接されており、枠部材３にはこれと対をなすフック２４が設けられている。そして、フック２３とフック２４とに、引っ張りコイルばねである第２ばね（図示略）の各端が連結されている。このため、下装飾板５は、第２ばねにより図１（ａ）、（ｂ）における右方向に付勢されている。
【００３４】
下装飾板５の図１（ｂ）における左端部には、第２カム受孔２５が設けられている。この第２カム受孔２５は、第１カム受孔１１と同様の形状であるが、第２カム受孔２５の方が一回り大きく、カム部材１２に設けられた第２カム１４が挿通されている。なお、下装飾板５が第２ばねにより右方向に付勢されているため、第２カム１４は第２カム受孔２５の左側内面２５ａに常時接している。
【００３５】
なお、図１（ｂ）に示されるとおり、第１カム受孔１１と第２カム受孔２５とは前後にほぼ重なり合う位置にあり、上装飾板４及び下装飾板５の往復移動に伴って左右方向に相対移動するものの、開口域の重なり合い（互いの空間部分が前後に連通状になっている状態）は維持される。
【００３６】
そして、枠部材３に取り付けられた固定装飾部２７が、それら第１カム受孔１１、第２カム受孔２５及びカム部材１２を覆うので、第１カム受孔１１等は前方からは（すなわち遊技者には）見えない。
【００３７】
また、枠部材３の背面には、モータ２８が取り付けられている。モータ２８の出力軸は枠部材３に設けられた穴２９を通って枠部材３の内部に達しており、これにカム部材１２が連結されている。
【００３８】
カム部材１２の詳細は図４に示すとおりであり、第１カム１３及び第２カム１４と、連結部１５とを備えている。
連結部１５には半月状の軸穴１５ａが設けられている。この軸穴１５ａにモータ２８の出力軸が挿通され、軸穴１５ａに対して垂直に設けられたねじ穴１５ｂに螺合させたねじ（図示は省略）にて締め付けることで、モータ２８の出力軸と連結部１５（すなわちカム部材１２）とが連結されている。従って、モータ２８を稼働させればカム部材１２が回転する。
【００３９】
第１カム１３及び第２カム１４は共に円筒状であるが、外径は第１カム１３よりも第２カム１４の方が大きい。また、第１カム１３及び第２カム１４はカム部材１２の回転の軸（モータ２８の出力軸）から偏心して配されているが、両者の位相は異なっており、本例では第１カム１３と第２カム１４とは位相を１８０度異ならせてある。
【００４０】
このため、モータ２８にてカム部材１２を回転させると、上装飾板４が左向きに移動させられて下装飾板５が右向きに移動させられる行程と、上装飾板４が右向きに移動させられて下装飾板５が左向きに移動させられる行程とを創出でき、それらが交互に繰り返されるので上装飾板４及び下装飾板５をすれ違い状に往復移動させる。次に、その詳細を図５に従って説明する。
【００４１】
まず、図５（ａ）に示すのは、上記往復移動の中間位置（初期位置という）を示している。この状態では、第１カム１３と第２カム１４の中心同士を結ぶ直線はほぼ垂直（第１カム１３と第２カム１４の大小関係から、わずかに右に傾いている。）である。このとき、遮蔽板１７が遮蔽板検出センサ１９の光路上に位置して、遮蔽板１７は遮蔽板検出センサ１９に検出された状態（検出状態）となる。
【００４２】
図５（ｂ）に示すのは、上装飾板４が往復移動の左端（従って、下装飾板５が右端）に位置した状態である。このとき、遮蔽板１７は、図５（ｂ）に示した初期位置のときに比べて左側に移動するものの未だ遮蔽板検出センサ１９の光路上に位置しており、遮蔽板１７は遮蔽板検出センサ１９に検出された状態（検出状態）となる。
【００４３】
図５（ｃ）に示すのは、上装飾板４が往復移動の右端（従って、下装飾板５が左端）に位置した状態である。このとき、遮蔽板１７が遮蔽板検出センサ１９の光路から外れて該センサ１９の右側に位置し、遮蔽板１７は遮蔽板検出センサ１９に検出されない状態（非検出状態）となる。
【００４４】
カム部材１２の回転によって、上装飾板４及び下装飾板５は、それぞれ図５（ｂ）に示す位置と図５（ｃ）に示す位置との間で往復移動する。
上装飾板４を左向きに移動させる行程では、第１カム１３が第１カム受孔１１の左側内面１１ａを押圧して第１ばねの付勢力に抗して上装飾板４を左向きに移動させる。また、この行程では、第２カム１４が第２カム受孔２５の左側内面２５ａと接触する位置が徐々に右側へ移動するため、第２ばねの付勢力によって下装飾板５が右向きに移動させられる（図５（ｂ）参照）。
【００４５】
一方、上装飾板４が右向きに移動させられる行程では、上記とは逆に第１カム１３が第１カム受孔１１の左側内面１１ａと接触する位置が徐々に右側へ移動するため、第１ばねの付勢力によって上装飾板４が右向きに移動させられる一方、第２カム１４が第２カム受孔２５の左側内面２５ａを押圧して第２ばねの付勢力に抗して下装飾板５を左向きに移動させる（図５（ｃ）参照）。
【００４６】
なお、上装飾板４が第１ばねにより右方向に付勢され、下装飾板５が第２ばねにより右方向に付勢されているため、上記の全行程を通じて、第１カム１３は第１カム受孔１１の左側内面１１ａに常に接し、第２カム１４は第２カム受孔２５の左側内面２５ａに常に接している。
【００４７】
このように、上装飾板４と下装飾板５とが互いにすれ違い状に移動して往復し、しかも上装飾板４と下装飾板５との重なり合いは維持されるので、上装飾板４、下装飾板５それぞれの移動量が共に少なくても、観察者である遊技者には移動量を大きく感じさせることができる。従って、上装飾板４及び下装飾板５の大型化を図ることができ、この大型化された上装飾板４及び下装飾板５の動作（往復移動）による装飾効果も十分得ることができる。また、上装飾板４及び下装飾板５が、枠部材３の開口２の上方すなわち表示装置の画面の上方を主たる移動域としても、上装飾板４及び下装飾板５の大型化が可能になる。
【００４８】
また、上装飾板４及び下装飾板５を往復移動させるための駆動機構を、上述したカム部材１２、第１ばね、第２ばね及びモータ２８にて構成しているので、一のカム部材１２を回転させるだけで（すなわち一のモータ２８により）、二つの可動部材（上装飾板４及び下装飾板５）を移動させることができるので、駆動機構の簡素化、上装飾板４及び下装飾板５の大型化を図れる。
【００４９】
しかも、上装飾板４が右移動程のときは下装飾板５が左移動行程になり、上装飾板４が左移動程のときは下装飾板５が右移動行程になるので、移動量を大きく感じさせる効果が最良になる。
［センター役物の使用例］
図６に示すのは、上記実施例のセンター役物１を装着した遊技盤３０の正面図である。なお、この遊技盤３０は弾球遊技機であるパチンコ機に装備されるが、パチンコ機の構成は公知技術に従っているので図示と説明を省略する。
【００５０】
図６に示すように、遊技盤３０の外形はほぼ矩形で、その前面には内外のガイドレール３３ａ、３３ｂなどで囲まれた略円形の遊技領域３４が形成されている。
センター役物１は、遊技領域３４の中央部から右上部にわたる部分を占めて、遊技盤３０に取り付けられている。
【００５１】
センター役物１の枠部材３にはステージ３５や図示省略のワープ樋、装飾部材などが取り付けられ、また枠部材３がベース板３６に取り付けられる。従って、実際にはベース板３６等も含んでセンター役物１が構成されている。そして、ベース板３６を遊技盤３０の前面にビス止めすることで、センター役物１が遊技盤に装着されている。また、センター役物１の背後には液晶表示装置が取り付けられており、その画面３７がセンター役物１の開口２に臨んでいる。
【００５２】
センター役物１の下方には第１始動口３８と第２始動口３９とがユニット化された複合入賞装置４１が配置されている。
第１始動口３８は、いわゆるチャッカーであり、常時入球可能である。第２始動口３９は一対の羽根を備えた、いわゆる電動チューリップであり、周知の電動チューリップと同様に開閉変化する。
【００５３】
第２始動口３９の上方に第１始動口３８があるために、第２始動口３９が閉鎖状態のときは、第２始動口３９への遊技球の入球は困難である。しかし、センター役物１の左側に設置されているゲート４２を遊技球が通過すると普通図柄抽選が行われ、この普通図柄抽選で当たると（普通図柄表示装置に当たりの普通図柄が確定表示されると）、第２始動口３９は開放されて入球容易になる。
【００５４】
複合入賞装置４１の下方には大入賞装置４３が配置されている。大入賞装置４３は、開閉板４３ａによって略長方形の大入賞口４３ｂを開閉する、いわゆるアタッカーである。
大入賞装置４３の下方にはアウト穴４４が設けられ、また大入賞装置４３の左右には、ガイドレール３３ｂに沿うようにして普通入賞口４５が配置されている。
【００５５】
なお、遊技盤３０には、多数の遊技釘、風車などが設置されているが、これらは周知であるので図示を省略する。
このパチンコ機はいわゆる第１種タイプであり、遊技球が第１始動口３８又は第２始動口３９に入球すると大当たり抽選が行われ（ただし保留満杯時は除く）、その結果が特別図柄表示装置によって表示される。
【００５６】
上記の液晶表示装置は、特別図柄表示装置における変動表示と並列的に演出表示を行うために備わっており、画面３７には演出図柄の変動表示やキャラクタアクション等が表示される。
【００５７】
大当たり抽選が当たりで、大当たりを示す特別図柄が特別図柄表示装置によって確定表示されると、画面３７にも大当たりを表す演出図柄が確定表示される。そして、この確定表示に続いて特別遊技（大当たり遊技）が開始され、周知のように大入賞口４３ｂが開放される。
【００５８】
次に、上記実施例のセンター役物１を装着した遊技盤３０を備えたパチンコ機において、上装飾板４及び下装飾板５を動作（往復移動）させるための具体的制御について、図５を参照して説明する。
【００５９】
上装飾板４及び下装飾板５の動作制御は、例えば、遊技の進行を司る主制御部と演出制御を司るサブ制御部とを備えるパチンコ機であれば、主制御部からサブ制御部に向けてモータ２８の駆動開始を指示する制御信号（制御コマンド）を送信する構成と、遮蔽板検出センサ１９からの出力信号をサブ制御部に入力する構成とを採用することで実現できる。
【００６０】
具体的には、まず、主制御部からのモータ駆動制御信号（モータ駆動開始コマンド）をサブ制御部が受信すると、サブ制御部はモータ２８の通電を開始して、モータ２８を図５を基準に反時計回りの方向に回転させる。
【００６１】
そして、カム部材１２が図５（ａ）の状態から反時計回りに９０度回転すると、初期位置にあった上装飾板４が左側限界位置まで移動し、下装飾板５が右側限界位置まで移動する（図５（ｂ））。このとき、遮蔽板１７は未だ遮蔽板検出センサ１９に検出された状態（検出状態）にある。
【００６２】
図５（ｂ）の状態から更にカム部材１２が反時計回りに１８０度回転すると、上装飾板４が右側限界位置まで移動し、下装飾板５が左側限界位置まで移動する（図５（ｃ））。このとき、モータ２８の通電を開始してから始めて、遮蔽板１７は遮蔽板検出センサ１９に検出されない状態（非検出状態）となる。
【００６３】
そして、図５（ｃ）の状態からカム部材１２が更に反時計回りに９０度回転すると、上装飾板４が再度左側に移動するとともに下装飾板５が再度右側に移動して、上装飾板４及び下装飾板５は互いに図５（ａ）に示す初期位置に戻った状態となり、遮蔽板１７は遮蔽板検出センサ１９に検出された状態（検出状態）となる。この検出状態をサブ制御部が認識することで、サブ制御部はモータ２８の通電を停止する。
【００６４】
以上のように、主制御部からのモータ駆動制御信号（モータ駆動開始コマンド）を受信したサブ制御部が、遮蔽板検出センサ１９からの出力信号の変化（検出状態→非検出状態→検出状態）に基づいてモータ２８の駆動制御を行うことで、上装飾板４及び下装飾板５を１回動作（往復移動）させることができる。
【００６５】
以上のような上装飾板４及び下装飾板５の動作制御は、例えば、液晶表示装置の画面３７上で展開される演出表示に連動させて行うことができる。このようにすることで、画面３７上の演出表示による演出効果と、上装飾板４及び下装飾板５の動作による装飾効果とが相俟って、遊技者にとって斬新でインパクトのある、遊技興趣の高い遊技性を備えたパチンコ機とすることができる。
［その他］
実施例では、第１ばね及び第２ばねとして引っ張りコイルばねを採用しているが、例えば板ばね等を用いて上装飾板４、下装飾板５を押圧付勢する構成でもよい。
【００６６】
また、第１カム受孔１１及び第２カム受孔２５を上装飾板４、下装飾板５の左端部に配しているが、例えば中央部に配してもよいし、右端部に配してもよく、その位置に限定はない。
【００６７】
また、上記した実施例では、センター役物１における開口２の上方に上装飾板４及び下装飾板５を設け、上装飾板４及び下装飾板５を左右方向（水平方向）に往復移動させる例を説明したが、上装飾板４及び下装飾板５を開口２の左側もしくは右側の何れか一方又は両方に設け、上装飾板４及び下装飾板５を上下方向（垂直方向）に往復移動させる構成としてもよい。
【図面の簡単な説明】
【００６８】
【図１】実施例のセンター役物の平面図（ａ）及び正面図（ｂ）。
【図２】実施例のセンター役物の側面図（ａ）及び背面図（ｂ）。
【図３】実施例のセンター役物の背面側斜視図。
【図４】実施例のセンター役物に装備したカム部材の平面図（ａ）、左側面図（ｂ）、正面図（ｃ）、右側面図（ｄ）、背面図（ｅ）、底面図（ｆ）及び斜視図（ｇ）。
【図５】実施例のセンター役物における上装飾板と下装飾板の動作説明図。
【図６】実施例のセンター役物を装着した遊技盤の正面図。
【符号の説明】
【００６９】
１・・・センター役物、
２・・・開口、
３・・・枠部材、
４・・・上装飾板（第１可動部材）、
５・・・下装飾板（第２可動部材）、
１１・・・第１カム受孔、
１２・・・カム部材、
１３・・・第１カム、
１４・・・第２カム、
２５・・・第２カム受孔、
２８・・・モータ、
３０・・・遊技盤、
３７・・・画面。
【図１】
2008194143.tif 000003
【図２】
2008194143.tif 000004
【図３】
2008194143.tif 000005
【図４】
2008194143.tif 000006
【図５】
2008194143.tif 000007
【図６】
2008194143.tif 000008